(57)【特許請求の範囲】
【請求項１】
画像形成装置であって、
前記画像形成装置で発生したエラーをスキップするための指示をユーザから受け付ける受付手段と、
前記画像形成装置で発生する複数のエラーのうち特定のエラーを、前記受付手段によって受け付けられた指示に応じてスキップ可能なエラー若しくはスキップ不可能なエラーとして設定する設定手段と、
前記画像形成装置において前記特定のエラーが発生したとき、前記設定手段によって前記特定のエラーがスキップ可能なエラーとして設定されているならば前記特定のエラーがスキップ可能であることを前記ユーザに通知し、前記設定手段によって前記特定のエラーがスキップ不可能なエラーとして設定されているならば前記特定のエラーがスキップ不可能であることを前記ユーザに通知する通知手段と、
を備えたことを特徴とする画像形成装置。
【請求項２】
前記通知手段は発光部を含み、前記発光部を点灯することによって前記特定のエラーはスキップ可能であることを通知し、前記発光部を消灯することによって前記特定のエラーはスキップ不可能であることを通知することを特徴とする請求項１記載の画像形成装置。
【請求項３】
前記通知手段はＬＥＤを含むことを特徴とする請求項１または請求項２記載の画像形成装置。
【請求項４】
前記特定のエラーは用紙に関連するエラーであることを特徴とする請求項１乃至３のいずれか１項に記載の画像形成装置。
【請求項５】
用紙を格納する格納手段をさらに備え、
前記特定のエラーは、前記格納手段に用紙がない状態を示すエラーであることを特徴とする請求項４記載の画像形成装置。
【請求項６】
前記設定手段によって前記特定のエラーが前記スキップ可能なエラーとして設定されているならば、前記受付手段が前記指示を受け付けたことに応じて、前記特定のエラーをスキップし、印刷を実行する実行手段をさらに備えることを特徴とする請求項１乃至５のいずれか１項に記載の画像形成装置。
【請求項７】
前記設定手段によって前記特定のエラーが前記スキップ可能なエラーとして設定されているならば、前記特定のエラーはスキップ可能であることを前記画像形成装置にネットワークを介して接続される外部装置に通知し、前記設定手段によって前記特定のエラーが前記スキップ不可能なエラーとして設定されているならば、前記特定のエラーはスキップ不可能であることを前記画像形成装置に前記ネットワークを介して接続される前記外部装置に通知するネットワーク通信手段をさらに備えることを特徴とする請求項１乃至６のいずれか１項に記載の画像形成装置。
【請求項８】
前記画像形成装置で発生する複数の前記エラーは複数のグループに分類され、
前記設定手段は、前記分類された複数のグループのうちの特定のグループに属する特定のエラーをスキップ可能なエラー若しくはスキップ不可能なエラーとして設定することを特徴とする請求項１乃至７のいずれか１項に記載の画像形成装置。
【請求項９】
画像形成装置の制御方法であって、
前記画像形成装置で発生したエラーをスキップするための指示をユーザから受け付ける受付ステップと、
前記画像形成装置で発生する複数のエラーのうち特定のエラーを、前記受付ステップにおいて受け付けられた指示に応じてスキップ可能なエラー若しくはスキップ不可能なエラーとして設定する設定ステップと、
前記画像形成装置において前記特定のエラーが発生したとき、前記設定ステップにおいて前記特定のエラーがスキップ可能なエラーとして設定されているならば前記特定のエラーがスキップ可能であることを前記ユーザに通知し、前記設定ステップにおいて前記特定のエラーがスキップ不可能なエラーとして設定されているならば前記特定のエラーがスキップ不可能であることを前記ユーザに通知する通知ステップと、
を備えたことを特徴とする画像形成装置の制御方法。
【請求項１０】
画像形成装置の制御方法をコンピュータに実行させるためのプログラムであって、
前記制御方法は、
前記画像形成装置で発生したエラーをスキップするための指示をユーザから受け付ける受付ステップと、
前記画像形成装置で発生する複数のエラーのうち特定のエラーを、前記受付ステップにおいて受け付けられた指示に応じてスキップ可能なエラー若しくはスキップ不可能なエラーとして設定する設定ステップと、
前記画像形成装置において前記特定のエラーが発生したとき、前記設定ステップにおいて前記特定のエラーがスキップ可能なエラーとして設定されているならば前記特定のエラーがスキップ可能であることを前記ユーザに通知し、前記設定ステップにおいて前記特定のエラーがスキップ不可能なエラーとして設定されているならば前記特定のエラーがスキップ不可能であることを前記ユーザに通知する通知ステップと、
を備えたことを特徴とするプログラム。
【発明の詳細な説明】
【技術分野】
【０００１】
本発明は、画像形成装置及びその制御方法、並びにプログラムに関する。
【背景技術】
【０００２】
従来、データを印刷出力する印刷装置等においては、エラーが発生した場合はエラーが発生したことを示す表示を行うとともに印刷出力処理を中断し、オペレータによる指示入力を待つ技術が広く知られている。またこのときのエラーの内容によっては、ユーザがエラーをスキップする指示を印刷装置に行うことで印刷を継続させる技術が知られている（例えば、特許文献１参照）。
【先行技術文献】
【特許文献】
【０００３】
【特許文献１】特開平７−８１１８７号公報
【発明の概要】
【発明が解決しようとする課題】
【０００４】
印刷装置によっては印刷装置に表示パネルを持たず、操作キーやＬＥＤのみを有する印刷装置が知られている。このような印刷装置は一般にＰＣ上のアプリケーションから印刷装置へ指示を行う事ができる。このため上述のエラーをスキップする印刷装置への指示も印刷装置の操作キーあるいはＰＣ上のアプリケーションから行える。
【０００５】
しかしながら、このような印刷装置において、表現度の高いＰＣ上のアプリケーションと表示パネルを保持しない印刷装置とでは、ユーザに伝えられる情報量が異なる。このため、例えばエラーをスキップする際に画質が劣化してしまうといった警告をＰＣ上のアプリケーションは表現できるが、印刷装置の操作キーやＬＥＤでは表現できない。
【０００６】
また印刷装置の操作キーやＬＥＤの表現力では発生しているエラーの内容がユーザに詳細に伝えられない。このため多種類のエラーのスキップを操作可能にすると、ユーザは現在発生しているエラーがスキップ指示を行うべきエラーであるのか否か判断がつかないこともある。
【０００７】
本発明の目的は、これらの問題点を解決し、画像形成装置の使い勝手を向上させることにある。
【課題を解決するための手段】
【０００８】
上記目的を達成するために、請求項１の画像形成装置は、前記画像形成装置で発生したエラーをスキップするための指示をユーザから受け付ける受付手段と、前記画像形成装置で発生する複数のエラーのうち特定のエラーを、前記受付手段によって受け付けられた指示に応じてスキップ可能なエラー若しくはスキップ不可能なエラーとして設定する設定手段と、前記画像形成装置において前記特定のエラーが発生したとき、前記設定手段によって前記特定のエラーがスキップ可能なエラーとして設定されているならば前記特定のエラーがスキップ可能であることを前記ユーザに通知し、前記設定手段によって前記特定のエラーがスキップ不可能なエラーとして設定されているならば前記特定のエラーがスキップ不可能であることを前記ユーザに通知する通知手段とを備えたことを特徴とする。
【発明の効果】
【０００９】
本発明によれば、発生したエラーがスキップ可能か否かを明示することができ、画像形成装置の使い勝手を向上させることができる。
【図面の簡単な説明】
【００１０】
【図１】本発明の実施の形態に係る画像形成装置の一例としての画像処理装置を含む画像処理システムの概略構成を示す図である。
【図２】図１におけるＰＣのハードウェア構成を示す図である。
【図３】図１における画像処理装置のハードウェア構成を示す図である。
【図４】図２における表示部にＵＩアプリケーションによって表示される画面例を示す図である。
【図５】図１における画像処理装置のステータスの一覧を示す図である。
【図６】図２における操作部を示す図である。
【図７】図３におけるＮＶＭＥＭに記憶される管理テーブルを示す図である。
【図８】図３におけるＣＰＵにより実行される操作部制御処理の手順を示すフローチャートである。
【図９】図２におけるＣＰＵにより実行される操作部制御処理の手順を示すフローチャートである。
【図１０】図３におけるＮＶＭＥＭに記憶される管理テーブルの変形例を示す図である。
【図１１】図３におけるＮＶＭＥＭに記憶されるスキップ処理拡張設定を示す図である。
【図１２】図３におけるＣＰＵにより実行される操作部制御処理の変形例の手順を示すフローチャートである。
【発明を実施するための形態】
【００１１】
以下、本発明の実施の形態について図面を参照しながら詳述する。
【００１２】
図１は、本発明の実施の形態に係る画像処理装置１０３を含む画像処理システム１００の概略構成を示す図である。
【００１３】
図１において、画像処理システム１００は、画像処理装置１０３及びＰＣ１０２を備えている。画像処理装置１０３及びＰＣ１０２はＬＡＮなどのネットワークやＵＳＢなどで通信可能に接続されている。又は、無線ＬＡＮやBluetooth等の無線通信によって通信可能であってもよい。
【００１４】
ユーザは、ＰＣ１０２で動作するＵＩアプリケーションを操作することにより画像処理装置１０３に任意の設定や指示を行うことができる。このＵＩアプリケーションについては後述する。このＵＩアプリケーションは画像処理装置１０３のステータスを表示することができる。また、ユーザは画像処理装置１０３を操作して、画像処理装置１０３に各種指示を行うことができる。このように、本実施の形態に係る画像処理装置１０３は、上位装置であるＰＣ１０２からの指示により画像処理を実行する。
【００１５】
図２は、図１におけるＰＣ１０２のハードウェア構成を示す図である。
【００１６】
図２において、ＣＰＵ２０１は、ＰＣ１０２全体を制御するプロセッサである。ＲＡＭ２０２は、ＣＰＵ２０１が動作するためのシステムワークメモリであり、プログラムを記憶するためのプログラムメモリとして使用される。ＨＤＤ２０３はデータなどを記憶可能な不揮発性の記憶装置である。
【００１７】
操作部２０６は、ユーザによる指示を受け付けるためのキーボードやマウスなどである。操作部インタフェース２０４は、操作部２０６とＣＰＵ２０１などとのインタフェースである。この操作部インタフェース２０４は、操作部２０６でユーザが操作した内容に応じた情報をＣＰＵ２０１に送信する。
【００１８】
表示部２１０は、ユーザに対して情報を表示するディスプレイなどである。表示部インタフェース２０９は、表示部２１０とＣＰＵ２０１とのインタフェースで、ＣＰＵ２０１の制御に応じて表示部２１０への出力信号を出力する。
【００１９】
ＵＳＢインタフェース２０８は、画像処理装置１０３に接続するためのユニットで、ＵＳＢを介して他の画像処理装置のステータスを取得したり、ステータスを返したりするために使用される。
【００２０】
ＬＡＮインタフェース２０７は、ＬＡＮに接続するためのユニットで、ＬＡＮを介して他の画像処理装置のステータスを取得したり、ステータスを返したりするために使用される。以上説明した各部は、システムバス２０５で接続される。
【００２１】
図３は、図１における画像処理装置１０３のハードウェア構成を示す図である。
【００２２】
図３において、ＣＰＵ３０１は、画像処理装置１０３全体を制御するプロセッサである。ＲＡＭ３０３は、ＣＰＵ３０１が動作するためのシステムワークメモリであり、プログラムを記憶するためのプログラムメモリや、画像データを一時記憶するための画像メモリでもある。
【００２３】
ＮＶＭＥＭ３０４（記憶手段）は、不揮発性のメモリであり、後述する管理テーブルや設定情報などが記憶される。ＦＬＡＳＨＲＯＭ３０２は書き換え可能な不揮発性のメモリであり、画像処理装置１０３を制御するための各種制御プログラムが記録される。
【００２４】
操作部３１６は、画像処理装置１０３をユーザが操作するためのキーと、画像処理装置１０３の状態を示すＬＥＤとを備える。操作部インタフェース３１５は、操作部３１６とのインタフェースで、操作部３１６が備えるＬＥＤの制御情報を送信する。また、操作部２０６からユーザにより操作された内容に応じた情報を、ＣＰＵ３０１に送信する。
【００２５】
給紙部３１７、給紙部３１８は用紙を保持し、プリンタ３１１が印刷を行う際の用紙を供給する。ＵＳＢインタフェース３０６は、ＰＣ１０２とＵＳＢで接続するためのインタフェースである。ＬＡＮインタフェース３１４は、ＰＣ１０２とネットワークで接続するためのインタフェースである。
【００２６】
以上説明したＣＰＵ３０１、ＲＡＭ３０３、ＮＶＭＥＭ３０４、ＦＬＡＳＨＲＯＭ３０２、操作部インタフェース３１５、ＵＳＢインタフェース３０６、ＬＡＮインタフェース３１４、及びイメージバスインタフェース３０７は、システムバス３０５で接続される。
【００２７】
イメージバスインタフェース３０７は、システムバス３０５との間で画像データを高速で転送する画像バス３１２とを接続し、データ構造を変換するバスブリッジである。画像バス３１２は、ＰＣＩバスまたはＩＥＥＥ１３９４で構成される。
【００２８】
ＲＩＰ（ラスタイメージプロセッサ）３０８はＰＤＬコードのようなベクトルデータをビットマップイメージに展開する。プリンタインタフェース３１０は、プリンタ３１１とコントローラユニット３１３とのインタフェースであり、画像データの同期系／非同期系の変換を行う。
【００２９】
画像処理部３０９は、入力画像データに対し補正、加工、編集を行ったり、印刷する画像データに対して、プリンタ３１１の補正、解像度変換などを行う。また、これに加えて、画像データの回転を行って利、多値画像データに対してはＪＰＥＧの圧縮伸張処理、２値画像データに対してはＪＢＩＧ、ＭＭＲ、ＭＨなどの圧縮伸張処理を行う。
【００３０】
プリンタ３１１は、ラスタイメージデータが示す画像を用紙に印刷する。印刷方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始される。
【００３１】
以上説明したＲＩＰ３０８、プリンタインタフェース３１０、イメージバスインタフェース３０７、及び画像処理部３０９は、画像バス３１２で接続される。
【００３２】
図４は、図２における表示部２１０にＵＩアプリケーションによって表示される画面例４０１を示す図である。
【００３３】
図４における画面例４０１は、画像処理装置１０３に関する操作を行うための画面例である。ＵＩアプリケーションはＰＣのＣＰＵ２０１によって実行される。ＵＩアプリケーションはＵＳＢインタフェース２０８、またはＬＡＮインタフェース２０７によって画像処理装置１０３と通信可能となっている。また、ユーザがＵＩアプリケーションをＰＣ１０２にインストールする際に、ＵＩアプリケーションは画像処理装置１０３と関連付けられる。
【００３４】
画面例４０１は、画像処理装置状態表示部４０５を含む。画像処理装置状態表示部４０５はＵＩアプリケーションと接続されている画像処理装置１０３のステータスに応じた内容を表示する。４０５の表示の形態は、画像処理装置１０３の概観を示すアイコン等の画像を表示し、その画像の表示（色や形等）を画像処理装置１０３のステータスに応じて変える。画像処理装置１０３のステータスについては後述する。
【００３５】
画面例４０１は、画像処理装置状態説明部４０６を含む。画像処理装置状態説明部４０６はＵＩアプリケーションと接続されている画像処理装置１０３のステータスに応じたテキストを表示する。
【００３６】
画面例４０１は、ジョブ実行状況表示部４０４を含む。ジョブ実行状況表示部４０４はＵＩアプリケーションと接続されている画像処理装置の実行しているジョブの印刷状況を表示する。図４では、ドキュメント名ｔｅｓｔ１．ｄｏｃというデータの印刷がＵｓｅｒ１というユーザの指示により印刷されており、６ページ中３ページまで印刷が完了したことを示している。画像処理装置が印刷を行っていなければジョブ実行状況表示部４０４には何も表示されない。
【００３７】
さらに、画面例４０１は、エラースキップボタン４０２を含む。エラースキップボタン４０２を、ユーザが操作部２０６を用いて操作することで、画像処理装置で発生しているエラーをスキップし、印刷を継続することができる。このエラースキップボタン４０２によるスキップは、エラーをスキップして印刷を継続することが可能なステータス時のみ有効となる。
【００３８】
エラーをスキップして印刷を継続することが可能なステータスであるか否かはＣＰＵ３０１により判断される。判断結果はＵＳＢインタフェース２０８、またはＬＡＮインタフェース２０７によってＣＰＵ２０１に伝えられる。ＣＰＵ２０１はその結果を用いてＵＩアプリケーションを制御する。
【００３９】
画面例４０１は設定ボタン４０３を含む。設定ボタン４０３をユーザが操作部２０６を用いて操作することで画像処理装置の設定を変更することができる。設定ボタン４０３操作時の動作ついては後述する。
【００４０】
図５は、図１における画像処理装置１０３のステータスの一覧を示す図である。
【００４１】
図５において、一覧には、画像処理装置１０３に発生したエラーの内容、又は当該画像処理装置１０３の状態を示す種々のステータスが示されている。
【００４２】
このうち、レディ５０１は画像処理装置１０３が印刷可能な状態を示す。印刷中５０２は画像処理装置１０３が印刷動作を行っている状態を示す。トナーなし５０３はトナーカートリッジが画像処理装置１０３にセットされていない状態を示す。
【００４３】
トナー切れ５０４はトナーの残量が少なく印字品質が保証できない状態を示す。用紙不一致５０５は画像処理装置１０３の給紙部３１７，３１８に保持されている用紙サイズと印刷に指定された用紙サイズとが異なっている状態を示す。用紙なし５０６は給紙部３１７，３１８に用紙が無い状態を示す。
【００４４】
図６は、図２における操作部３１６を示す図である。
【００４５】
図６において、トナーＬＥＤ６０２は、画像処理装置１０３のステータスが、トナーなし５０３、またはトナー切れ５０４であるときに点灯する。
【００４６】
レディＬＥＤ６０３は、画像処理装置１０３のステータスが、レディ５０１、または印刷中５０２であるときに点灯する。
【００４７】
紙ＬＥＤ６０４は、画像処理装置１０３のステータスが、用紙不一致５０５、または用紙なし５０６であるときに点灯する。
【００４８】
スキップＬＥＤ６０５は、画像処理装置１０３のステータスが、スキップボタン６０１をユーザが押下することでエラーをスキップして印刷を継続することが可能なステータスであるときに点灯する。エラーをスキップし印刷を継続することが可能なステータスか否かはＣＰＵ３０１により判断され、操作部インタフェース３１５を介して操作部３１６に通知される。このスキップＬＥＤ６０５は、発生したエラーがスキップ可能か否かをユーザに対して明示する明示手段の一例である。また、スキップＬＥＤ６０５は、発生したエラーがスキップ可能か否かをＬＥＤの点灯または消灯によりユーザに対して明示する。
【００４９】
図７は、図３におけるＮＶＭＥＭ３０４に記憶される管理テーブル７０１を示す図である。
【００５０】
図７において、管理テーブル７０１は、図５で説明した画像処理装置１０３の状態を示す種々のステータスと当該ステータスが属するグループとの対応関係を示すテーブルである。
【００５１】
具体的に管理テーブル７０１は、種々のステータスをグループ１、グループ２、グループ３にグループ分けしている。
【００５２】
レディ５０１、印刷中５０２、及びトナーなしは、グループ１に属する。トナー切れ５０４は、グループ２に属する。用紙不一致５０５、及び用紙なし５０６は、グループ３に属する。
【００５３】
図８は、本実施例における画像処理装置１０３により実行される操作部制御処理の手順を示すフローチャートである。本フローチャートの各ステップは、図３のＣＰＵ３０１が、ＮＶＭＥＭ３０４やＦｌａｓｈＲＯＭ３０２等のメモリに格納されたプログラムをＲＡＭ３０３に展開して実行することによって処理される。
【００５４】
図８において、ステータスに変化が生じると、まずステータスがグループ１に属するか否か判別する（ステップＳ８０１）。ステップＳ８０１の判別の結果、ステータスがグループ１に属するときは（ステップＳ８０１でＹＥＳ）、操作部３１６に、現在のステータスと、エラーのスキップができないことを示すスキップ不可とを通知することで操作部３１６にスキップＬＥＤ６０５を消灯させる（ステップＳ８０３）。ここでは、スキップＬＥＤ６０５の消灯に加え、現在のステータスに応じたＬＥＤが点灯する。また、スキップＬＥＤ６０５の消灯とは、もともと点灯していない場合、その状態を継続することも意味する。
【００５５】
次いで、ＵＩアプリケーションに、現在のステータスと、スキップ不可とを通知し（ステップＳ８０４）、本処理を終了する。
【００５６】
一方、ステップＳ８０１の判別の結果、ステータスがグループ１に属さないときは（ステップＳ８０１でＮＯ）、ステータスがグループ２に属するか否か判別する（ステップＳ８０２）。ステップＳ８０２の判別の結果、ステータスがグループ２に属するときは（ステップＳ８０２でＹＥＳ）、操作部３１６に、現在のステータスと、スキップ不可とを通知することで操作部３１６にスキップＬＥＤ６０５を消灯させる（ステップＳ８０５）。ここでは、スキップＬＥＤ６０５の消灯に加え、現在のステータスに応じたＬＥＤが点灯する。
【００５７】
次いで、ＵＩアプリケーションに、現在のステータスと、スキップ不可とを通知し（ステップＳ８０６）、本処理を終了する。
【００５８】
一方、ステップＳ８０２の判別の結果、ステータスがグループ２に属さないときは（ステップＳ８０２でＮＯ）、操作部３１６に、現在のステータスと、エラーのスキップができることを示すスキップ可とを通知することで操作部３１６にスキップＬＥＤ６０５を点灯させる（ステップＳ８０７）。ここでは、スキップＬＥＤ６０５の点灯に加え、現在のステータスに応じたＬＥＤが点灯する。
【００５９】
次いで、ＵＩアプリケーションに、現在のステータスと、スキップ可とを通知し（ステップＳ８０８）、本処理を終了する。
【００６０】
上述したステップＳ８０１，８０２は、画像処理装置１０３のステータスに変化が生じた場合に、現在のステータスが属するグループに応じて、発生したエラーがスキップ可能か否かを判別する判別手段の一例である。
【００６１】
また、上述したステップＳ８０３，８０５，８０７は、判別の結果に応じて、スキップＬＥＤ６０５を制御する明示制御手段の一例である。さらに、ステップＳ８０４，８０６，８０８は、判別の結果を、上位装置に通知する通知手段の一例である。
【００６２】
図８の処理によれば、まず画像処理装置１０３のステータスに変化が生じた場合に、現在のステータスが属するグループに応じて、発生したエラーがスキップ可能か否かを判別する（ステップＳ８０１，８０２）。そして、判別の結果に応じて、スキップＬＥＤ６０５を制御する（ステップＳ８０３，８０５，８０７）。次いで、判別の結果を、ＰＣ１０２に通知する（ステップＳ８０４，８０６，８０８）。その結果、ユーザに対してスキップ可能か否か明確に明示されるので、発生したエラーがスキップ可能か否かを明示する画像処理装置の使い勝手を向上させることができる。
【００６３】
図９は、ＰＣ１０２により実行される操作部制御処理の手順を示すフローチャートである。図９の各ステップは、図２のＣＰＵ２０１が、ＨＤＤ２０３等に格納されたプログラムをＲＡＭ２０２に展開して実行することによって処理される。
【００６４】
図９において、画像処理装置１０３から、スキップ可が通知されたか否か判別する（ステップＳ９０１）。ステップＳ９０１の判別の結果、スキップ可が通知されていないとき、すなわちスキップ不可が通知されたときは（ステップＳ９０１でＮＯ）、エラースキップボタン４０２を無効にし（ステップＳ９０３）、ステップＳ９０４に進む。
【００６５】
一方、ステップＳ９０１の判別の結果、スキップ可が通知されたときは（ステップＳ９０１でＹＥＳ）、エラースキップボタン４０２を有効にする（ステップＳ９０２）。
【００６６】
次いで、画像処理装置１０３から通知されたステータスに応じた内容を画像処理装置状態表示部４０５に表示し（ステップＳ９０４）、ステータスに応じたテキストを画像処理装置状態説明部４０６に表示して（ステップＳ９０５）、本処理を終了する。
【００６７】
上述した図５は、３つのグループに分けた場合を示したステータスの一覧であったが、他の複数のグループに分けるようにしてもよい。
【００６８】
図１０は、図３におけるＮＶＭＥＭ３０４に記憶される管理テーブル１００１の変形例を示す図である。
【００６９】
図１０におけるステータスは、図５に示したステータスと変わらない。そして、図９において、管理テーブル７０１は、図５で説明した各ステータスが属するグループを示している。具体的には、ステータスをグループ１、グループ２、グループ３、グループ４にグループ分けしている。
【００７０】
レディ５０１、印刷中５０２、及びトナーなしは、グループ１に属する。トナー切れ５０４は、グループ２に属する。用紙不一致５０５は、グループ３に属する。用紙なし５０６は、グループ４に属する。
【００７１】
図１１は、図３におけるＮＶＭＥＭ３０４に記憶されるスキップ処理拡張設定１１０１を示す図である。
【００７２】
図１１において、スキップ処理拡張設定１１０１には、０または１が設定される。このスキップ処理拡張設定１１０１は、ステータスが予め定められたグループに属する場合に、発生したエラーをスキップ可能とするか否かを示し、スキップ可能な対象を拡張するための設定である。このスキップ処理拡張設定１１０１に０が設定されている場合には、スキップ不可とし、１が設定されている場合には、スキップ可とするように制御される。
【００７３】
発生したエラーがスキップ可能か否かを判別する際には、拡張設定テーブルがさらに用いられる。
【００７４】
図１２は、本実施例における画像処理装置１０３により実行される操作部制御処理の変形例の手順を示すフローチャートである。本フローチャートの各ステップは、図３のＣＰＵ３０１が、ＮＶＭＥＭ３０４やＦｌａｓｈＲＯＭ３０２等のメモリに格納されたプログラムをＲＡＭ３０３に展開して実行することによって処理される。
【００７５】
図１２において、ステータスに変化が生じると、まずステータスがグループ１に属するか否か判別する（ステップＳ１２０１）。ステップＳ１２０１の判別の結果、ステータスがグループ１に属するときは（ステップＳ１２０１でＹＥＳ）、操作部３１６に、現在のステータスと、スキップ不可とを通知することで操作部３１６にスキップＬＥＤ６０５を消灯させる（ステップＳ１２０９）。ここでは、スキップＬＥＤ６０５の消灯に加え、現在のステータスに応じたＬＥＤが点灯する。
【００７６】
次いで、ＵＩアプリケーションに、現在のステータスと、スキップ不可とを通知し（ステップＳ１２１０）、本処理を終了する。
【００７７】
一方、ステップＳ１２０１の判別の結果、ステータスがグループ１に属さないときは（ステップＳ１２０１でＮＯ）、ステータスがグループ２に属するか否か判別する（ステップＳ１２０２）。ステップＳ１２０２の判別の結果、ステータスがグループ２に属するときは（ステップＳ１２０２でＹＥＳ）、操作部３１６に、現在のステータスと、スキップ不可とを通知することで操作部３１６にスキップＬＥＤ６０５を消灯させる（ステップＳ１２０７）。ここでは、スキップＬＥＤ６０５の消灯に加え、現在のステータスに応じたＬＥＤが点灯する。
【００７８】
次いで、ＵＩアプリケーションに、現在のステータスと、スキップ不可とを通知し（ステップＳ１２０８）、本処理を終了する。
【００７９】
一方、ステップＳ１２０２の判別の結果、ステータスがグループ２に属さないときは（ステップＳ１２０２でＮＯ）、ステータスがグループ３に属するか否か判別する（ステップＳ１２０３）。
【００８０】
ステップＳ１２０３の判別の結果、ステータスがグループ３に属するときは（ステップＳ１２０３でＹＥＳ）、操作部３１６に、現在のステータスと、エラーのスキップができることを示すスキップ可とを通知することで操作部３１６にスキップＬＥＤ６０５を点灯させる（ステップＳ１２０５）。ここでは、スキップＬＥＤ６０５の点灯に加え、現在のステータスに応じたＬＥＤが点灯する。
【００８１】
次いで、ＵＩアプリケーションに、現在のステータスと、スキップ可とを通知し（ステップＳ１２０６）、本処理を終了する。
【００８２】
ステップＳ１２０３の判別の結果、ステータスがグループ３に属さないときは（ステップＳ１２０３でＹＥＳ）、グループ４に属すると判断して、スキップ拡張処理設定に１が設定されているか否か判別する（ステップＳ１２０４）。
【００８３】
ステップＳ１２０４の判別の結果、スキップ拡張処理設定に０が設定されているときは（ステップＳ１２０４でＮＯ）、上記ステップＳ１２０７に進む。
【００８４】
一方、ステップＳ１２０４の判別の結果、スキップ拡張処理設定に１が設定されているときは（ステップＳ１２０４でＹＥＳ）、上記ステップＳ１２０５に進む。
【００８５】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８６】
１００  画像処理システム
１０２  ＰＣ
１０３  画像処理装置
２０１，３０１  ＣＰＵ
２０２，３０３  ＲＡＭ
２０３  ＨＤＤ
２０６，３１６  操作部
２０７，３１４  ＬＡＮインタフェース
２０８，３０６  ＵＳＢインタフェース
２１０  表示部
３０２  ＦｌａｓｈＲＯＭ
３１１  プリンタ
４０１  画面例
４０２  エラースキップボタン
６０５  スキップＬＥＤ
【図１】
0006016388.tif 000002
【図２】
0006016388.tif 000003
【図３】
0006016388.tif 000004
【図４】
0006016388.tif 000005
【図５】
0006016388.tif 000006
【図６】
0006016388.tif 000007
【図７】
0006016388.tif 000008
【図８】
0006016388.tif 000009
【図９】
0006016388.tif 000010
【図１０】
0006016388.tif 000011
【図１１】
0006016388.tif 000012
【図１２】
0006016388.tif 000013